(57)【特許請求の範囲】
【請求項１】
機器本体と、該機器本体に着脱可能な出力ユニットとを備え、
前記機器本体は、計測した計測データを表示する表示部と、この表示部の表示制御を行う本体側制御部とを有し、
前記出力ユニットは、機器本体からの前記計測データを蓄積するバッファメモリと、該バッファメモリに蓄積した計測データを加工処理する出力ユニット側制御部とを有し、
前記出力ユニット側制御部は、該出力ユニット側制御部で加工処理したデータを、前記本体側制御部を介して前記機器本体の前記表示部に表示するとともに、
前記出力ユニットは、前記機器本体のケースの背面に形成された開口部から該機器本体にコネクタにより着脱可能であることを特徴とする計測機器。
【請求項２】
請求項１に記載の計測機器において、
前記本体側制御部は本体側ＣＰＵであり、前記出力ユニット側制御部は出力側ＣＰＵであることを特徴とする計測機器。
【請求項３】
請求項１または２に記載の計測機器において、
ホストコンピュータとの間で通信を行って、計測した計測データを前記ホストコンピュータに送信することを特徴とする計測機器。
【発明の詳細な説明】
【０００１】
【発明の属する技術分野】
本発明は、計測機器に関し、さらに詳しくは、センサ等の入力機器からの入力に基づいて計測を行う、例えばデジタルパネルメータ、電子カウンタ、タイマあるいは温度調節器等の各種の計測機器に関する。
【０００２】
【従来の技術】
この種の計測機器、例えば、デジタルパネルメータでは、センサ等の入力機器からの入力に基づく温度や回転数などの計測データをリアルタイムで表示することはできるけれども、データを収集蓄積して統計処理するといった機能を備えておらず、このため、例えば、計測データの一日の変化やバラツキを表示するといったことはできなかった。
【０００３】
このため、従来では、図３に示されるように、デジタルパネルメータ１５とホストコンピュータ１６とを接続し、デジタルパネルメータ１５から計測データをホストコンピュータ１６に通信で送り、ホストコンピュータ１６は、計測データを統計処理して、例えば、分散を算出したり、ヒストグラムを作成して表示したりしている。
【０００４】
ところが、このような構成では、デジタルパネルメータ１５の台数が多くなると、データの通信だけでホストコンピュータ１６の処理がパンクしてしまう虞れがあり、また、処理能力の高いホストコンピュータを使用したとしても、ホスト側の負荷は大きく、コストが高くつくという難点がある。
【０００５】
そこで、図４に示されるように、複数のデジタルパネルメータ１５を、メモリバッファ付の専用コントローラ１７を介してホストコンピュータ１６に接続し、専用コントローラ１７は、各デジタルパネルメータに順番にアクセスして計測データをメモリバッファに蓄積しておき、ホストコンピュータ１６からの要求に応じて一括して計測データを、ホストコンピュータ１６に送り、ホストコンピュータ１６は、計測データを統計処理して、例えば、分散を算出したり、ヒストグラムを作成して表示したりしている。
【０００６】
【発明が解決しようとする課題】
この図４に示される構成では、専用コントローラ１７が、デジタルパネルメータ１５からの計測データを蓄積するので、ホストコンピュータ１６の負荷が軽減されるけれども、このような専用コントローラ１７は、市場における販売台数も少なく、高価であるという難点がある。
【０００７】
また、平均値や分散などの比較的簡単なデータの加工処理であれば、ホストコンピュータ１６を介することなく、デジタルパネルメータ単独で行えるようにすることが望まれる。
【０００８】
本発明は、上述の技術的課題に鑑みて為されたものであって、専用コントローラを必要とすることなく、あるいは、ホストを介することなく、データを加工処理できるようにした計測機器を提供することを目的とする。
【０００９】
【課題を解決するための手段】
本発明では、上述の目的を達成するために、次のように構成している。
【００１０】
すなわち、本発明の計測機器は、機器本体と、該機器本体に着脱可能な出力ユニットとを備え、前記機器本体は、計測した計測データを表示する表示部と、この表示部の表示制御を行う本体側制御部とを有し、前記出力ユニットは、機器本体からの前記計測データを蓄積するバッファメモリと、該バッファメモリに蓄積した計測データを加工処理する出力ユニット側制御部とを有し、前記出力ユニット側制御部は、該出力ユニット側制御部で加工処理したデータを、前記本体側制御部を介して前記機器本体の前記表示部に表示するとともに、前記出力ユニットは、前記機器本体のケースの背面に形成された開口部から該機器本体にコネクタにより着脱可能である。前記本体側制御部は本体側ＣＰＵであり、前記出力ユニット側制御部は出力側ＣＰＵである。また、本発明の計測機器は、ホストコンピュータとの間で通信を行って、計測した計測データを前記ホストコンピュータに送信してもよい。
【００１４】
また、加工処理の一部が互いに異なる出力ユニット側制御部を有する複数の出力ユニットのいずれかを選択して機器本体に装着してもよい。
【００１５】
また、前記機器本体には、センサ等の入力機器が接続され、前記機器本体は、入力機器からの入力に基づいて計測を行うものであって、例えば、デジタルパネルメータ本体としてもよい。
【００１６】
本発明の計測機器によれば、ホストとの間で通信を行うとともに、バッファメモリに蓄積された計測データを前記ホストに送信するので、従来例のような高価な専用コントローラを用いることなく、ホスト側の負荷を軽減できることになる。
【００１７】
また、本発明の計測機器によれば、メモリに蓄積した計測データを加工処理する出力ユニット側制御部を有するので、ホストを介することなく、平均化処理や分散計算などの加工処理を行って、その結果を表示したりすることにより、計測機器の機能が向上することになる。
【００１８】
さらに、本発明の計測機器によれば、出力ユニットは、機器本体に着脱可能であるので、加工処理の内容の少なくとも一部が互いに異なる複数の出力ユニットのいずれかを選択して機器本体に装着することにより、ユーザの要求に容易に対応できることになる。
【００１９】
【発明の実施の形態】
以下、図面によって本発明の実施の形態について詳細に説明する。
【００２０】
図１は、本発明の一つの実施の形態に係るデジタルパネルメータのブロック図である。
【００２１】
このデジタルパネルメータは、図３の従来例と同様に、ホストコンピュータ１６に接続されてデータ通信を行うものである。
【００２２】
この実施の形態のデジタルパネルメータ１は、図示しないセンサ等の入力機器からの入力に基づいて、計測を行うデジタルパネルメータ本体２と、拡張ボードである出力ユニット３とを備えている。
【００２３】
この出力ユニット３は、図２に示されるように、従来のデジタルパネルメータにおけるリレー出力、トランジスタ出力あるいはＢＣＤ出力の各種の出力ユニット２０，２１，２２と同様に、デジタルパネルメータ本体２のケースの背面に形成された開口部からデジタルパネルメータ本体２に着脱可能に構成されている。
【００２４】
再び図１を参照して、ケース背面の開口部から出力ユニット３が装着されたデジタルパネルメータ本体２は、シフトキーやアップキーなどの各種の操作キー４と、現在の計測データなどを表示する表示部５と、各部を制御する本体側ＣＰＵ６と、出力ユニット３との間で通信を行うための通信用インターフェイス７とを備えており、図示しないセンサ等の入力機器からの入力に基づいて計測した計測データを従来と同様に、表示部５に表示する。
【００２５】
出力ユニット３は、デジタルパネルメータ本体２との間で通信を行う通信用インターフェイス８と、ホストコンピュータ１６との間で通信を行う通信用インターフェイス９と、各部を制御する出力側ＣＰＵ１０と、デジタルパネルメータ本体２で計測された計測データを蓄積するバッファメモリ１１と、プログラム等が格納された不揮発性のプログラムメモリ１２とを備えており、この出力ユニット３は、コネクタ部１３を介してデジタルパネルメータ本体２に接続されている。
【００２６】
この実施の形態のデジタルパネルメータ１においては、通常時は、デジタルパネルメータ本体２は、センサ等の入力機器からの入力に基づいて計測した計測データを表示部５に表示するといった従来と同様の動作を行う一方、出力ユニット３の出力側ＣＰＵ１０からの要求に応じて、計測データを出力ユニット３に送信し、出力ユニット３では、デジタルパネルメータ本体２からの計測データを、バッファメモリ１１に順次蓄積するものである。
【００２７】
出力ユニット３では、基本クロックに基づく一定の時間間隔で、デジタルパネルメータ本体２に計測データを要求してバッファメモリ１１に蓄積する一方、ホストコンピュータ１６からの計測データの一括要求に応じて、バッファメモリ１１に蓄積した計測データを一括してホストコンピュータ１６に送信するものである。
【００２８】
また、ホストコンピュータ１６は、送信された計測データを従来と同様に統計処理して、例えば、分散を算出したり、ヒストグラムを作成して表示したりするものである。
【００２９】
以下、デジタルパネルメータ本体２および出力ユニット３の動作を、さらに詳細に説明する。
【００３０】
先ず、電源投入時には、デジタルパネルメータ本体２の本体側ＣＰＵ６は、本体に装着されている出力ユニットの種類を判別し、一方、出力ユニット３の出力側ＣＰＵ１０は、一定時間待機した後に、ボーレートやパリティなどのホストコンピュータ１６との間で通信を行うための通信データを要求し、本体側ＣＰＵ６は、それを受けて通信データを出力側ＣＰＵ１０に送信し、出力側ＣＰＵ１０は、その通信データを受け取って初期処理が終了する。
【００３１】
また、通常時においては、本体側ＣＰＵ６は、計測したデータを表示部５に表示し、一方、出力側ＣＰＵ１０は、一定の時間間隔で計測データを要求し、本体側ＣＰＵ６は、それを受けて計測データを出力側ＣＰＵ１０に送信し、出力側ＣＰＵ１０は、受け取った計測データをバッファメモリ１１に書き込む。なお、バッファメモリ１１の容量が一杯になったときには、重ね書きを行う。
【００３２】
この通常時において、出力側ＣＰＵ１０は、ホストコンピュータ１６からの計測データの一括要求があると、バッファメモリ１１に蓄積した計測データを読み出してホストコンピュータ１６に一括して送信するものである。
【００３３】
このようにデジタルパネルメータ１では、デジタルパネルメータ本体２で計測した計測データを、出力ユニット３のバッファメモリ１１に収集蓄積しておき、ホストコンピュータ１６からの要求があったときに、ホストコンピュータ１６に一括して送信するので、図４の従来例のように、高価な専用コントローラ１７を必要とすることなく、ホストコンピュータ１６にかかる負荷を軽減できることになる。
【００３４】
しかも、計測データを蓄積するバッファメモリ１１やホストコンピュータ１６との間で通信を行う出力側ＣＰＵ１２などは、デジタルパネルメータ本体２に着脱自在の出力ユニット３に装備されており、デジタルパネルメータ本体２は、基本的に従来と同様の標準タイプをそのまま使用することができるので、コストの低減を図ることができる。
【００３５】
なお、ホストコンピュータ１６から一括要求でなく、個別の計測データの要求があったときには、バッファメモリ１１に蓄積された計測データを一括して送信するのではなく、図３の従来例と同様に、デジタルパネルメータ本体２で計測された計測データを、出力ユニット３を介してそのままホストコンピュータ１６に送信することもできる。
【００３６】
さらに、この実施の形態のデジタルパネルメータは、収集蓄積した計測データを、加工処理して表示部５に表示できる機能（以下「ターミナル機能」という）を備えており、キー操作によってターミナル機能を選択したターミナルモード時においては、本体側ＣＰＵ６による制御を、出力ユニット３の出力側ＣＰＵ１０による制御に移行させ、操作キー４からの操作入力の受け付けや表示部５の制御は、本体側ＣＰＵ６に代わって出力側ＣＰＵ１０が行うものである。このターミナルモードにおいては、操作キー４の操作に応じて、バッファメモリ１１に蓄積した計測データに基づいて、出力側ＣＰＵ１０は、例えば平均値や分散を算出し、本体側ＣＰＵ６を介して表示部５に、算出した平均値や分散を表示するものである。
【００３７】
このターミナルモード時におけるデジタルパネルメータ本体２および出力ユニット３の動作を、さらに詳細に説明する。
【００３８】
先ず、デジタルパネルメータ本体２の本体側ＣＰＵ６は、操作キー４のキー入力に基づいて、ターミナルモードへの移行を確認し、それ以降のキー入力を無視し、出力側ＣＰＵ１０へのイネーブル信号をアクティブにし、これによって、出力側ＣＰＵ１０は、ターミナルモードへの移行を確認し、キー入力の受け付けを開始し、キー入力に応じてバッファメモリ１１の計測データを加工処理し、その結果を表示データとして本体側ＣＰＵ６に送信し、本体側ＣＰＵ６は、その表示データを表示部５に表示するものである。
【００３９】
このターミナルモードが終了すると、出力側ＣＰＵ１０は、キー入力を無視し、本体側ＣＰＵ６にターミナルモードの終了を通知し、本体側ＣＰＵ６は、それを受けてターミナルモードの終了を確認し、キー入力の受け付けを開始するとともに、表示部５の表示制御を再開して通常時の動作に復帰する。
【００４０】
なお、加工処理したデータに限らず、操作キー４のキー入力に応じて、蓄積された過去の計測データを呼び出してそのまま表示してもよく、あるいは、分散や平均値に限らず、ヒストグラムの作成に必要なゾーンＮｏ．と、そのゾーンＮｏ．に対応した個数とを表示し、あるいは、その他の加工処理を行って表示してもよい。
【００４１】
このように、ターミナルモード時には、出力側ＣＰＵ１０は、バッファメモリ１１に蓄積した計測データを加工処理して、平均値や分散などを表示部５に表示できるので、デジタルパネルメータの機能が向上することになり、従来例のように、ホストコンピュータ１６に計測データを送信してホストコンピュータ１６で平均値や分散を算出して表示させる必要がない。
【００４２】
また、出力ユニット３の制御プログラムを変更することにより、ユーザの要求に容易に対応することができる。すなわち、平均化処理や分散計算などの各種の統計処理の処理内容の少なくとも一部が異なる複数の出力ユニット３のいずれかを、ユーザの要求に応じて選択してデジタルパネルメータ本体２に装着するようにしてもよい。
【００４３】
上述の実施の形態では、ホストコンピュータ１６と通信を行ったけれども、本発明の他の実施の形態として、ホストコンピュータ１６との間の通信機能を省略し、バッファメモリ１１に蓄積した計測データを加工処理してデジタルパネルメータ本体２の表示部５に表示するようにしてもよく、この場合には、ホストコンピュータ１６を介することなく、デジタルパネルメータ単独で計測データを加工処理して表示できることになる。
【００４４】
上述の実施の形態では、一定の時間間隔で計測データをバッファメモリ１１に蓄積したけれども、本発明の他の実施の形態として、例えば、デジタルパネルメータ本体２からのトリガ入力あるいは外部からのトリガ入力に応答して、計測データをバッファメモリ１１に蓄積するようにしてもよい。
【００４５】
上述の実施の形態では、デジタルパネルメータに適用して説明したけれども、本発明は、デジタルパネルメータに限らず、電子カウンタ、タイマあるいは計測したデータに基づいて制御を行う温度調節器等の各種の計測機器に適用できるのは、勿論である。
【００４６】
【発明の効果】
以上のように本発明によれば、計測データを蓄積するバッファメモリを備えているので、バッファメモリに収集蓄積した計測データをホストに送信することにより、従来例のような高価な専用コントローラを用いることなく、ホスト側の負荷を軽減できることになる。
【００４７】
また、本発明の計測機器によれば、メモリに蓄積した計測データを加工処理する処理手段を有し、この処理手段で加工処理したデータを、機器本体の表示部に表示するので、ホストを介することなく、平均化処理や分散計算などの加工処理を行って、その結果を表示できることになり、計測機器の機能が向上することになる。
【００４８】
さらに、加工処理の少なくとも一部が互いに異なる複数の出力ユニットのいずれかを、ユーザの要求に応じて選択して機器本体に装着することにより、ユーザの要求に容易に対応できることになる。
【図面の簡単な説明】
【図１】本発明の一つの実施の形態に係るデジタルパネルメータのブロック図である。
【図２】デジタルパネルメータ本体と出力ユニットとの取り付け状態を示す斜視図である。
【図３】従来例の構成図である。
【図４】他の従来例の構成図である。
【符号の説明】
２                  デジタルパネルメータ本体
３                  出力ユニット
５                  表示部
６                  本体側ＣＰＵ
７，８，９          通信用インターフェイス
１０                出力側ＣＰＵ
１１                バッファメモリ
１５                デジタルパネルメータ
１６                ホストコンピュータ
【図１】
0003550912.tif 000002
【図２】
0003550912.tif 000003
【図３】
0003550912.tif 000004
【図４】
0003550912.tif 000005